【手続補正書】
【提出日】平成30年7月2日(2018.7.2)
【手続補正１】
【補正対象書類名】明細書
【補正対象項目名】０００６
【補正方法】変更
【補正の内容】
【０００６】
前記課題を解決するため、本発明においては、使用者によって撮影された複数の撮影画像を分類する画像分類装置であって、前記使用者の移動履歴を示す一連の日時情報及び位置情報を含む移動履歴情報を取得する移動履歴取得手段と、前記移動履歴取得手段により取得された移動履歴情報を解析することにより、前記使用者の過去の移動履歴において同一期間と分類すべき撮影画像に対応する行動期間を判別する行動期間判別手段と、前記複数の撮影画像を各々の撮影日時に基づき前記行動期間判別手段により判別された行動期間に応じて分類する画像分類手段とを備えることを特徴とする画像分類装置。
【手続補正２】
【補正対象書類名】特許請求の範囲
【補正対象項目名】全文
【補正方法】変更
【補正の内容】
【特許請求の範囲】
【請求項１】
使用者によって撮影された複数の撮影画像を分類する画像分類装置であって、
前記使用者の移動履歴を示す一連の日時情報及び位置情報を含む移動履歴情報を取得する移動履歴取得手段と、
前記移動履歴取得手段により取得された移動履歴情報を解析することにより、前記使用者の過去の移動履歴において同一期間と分類すべき撮影画像に対応する行動期間を判別する行動期間判別手段と、
前記複数の撮影画像を各々の撮影日時に基づき前記行動期間判別手段により判別された行動期間に応じて分類する画像分類手段と、
を備えることを特徴とする画像分類装置。
【請求項２】
前記移動履歴取得手段は、前記撮影画像が撮影された日時または位置とは異なる日時または位置を含む移動履歴情報を取得することを特徴とする請求項１記載の画像分類装置。
【請求項３】
前記行動期間判別手段は、前記複数の撮影画像内に、撮影日時が相前後し、かつ前記移動履歴情報により示される撮影日時に対応する各々の撮影地点間が決められている距離以上である一組の撮影画像が含まれる場合、先に撮影された撮影画像の撮影日時を末尾とする期間と後に撮影された撮影画像を先頭とする期間とを個別に前記行動期間として判別することを特徴とする請求項１又は２記載の画像分類装置。
【請求項４】
地図上の特定の地点を基準地点として登録する登録手段を更に備え、
前記行動期間判別手段は、前記移動履歴情報における一連の位置情報によって示される前記使用者の移動経路に、前記登録手段により登録された基準地点が同日中に起点及び終点となる区間を除く区間を前記行動期間と判別する、
ことを特徴とする請求項１，２又は３記載の画像分類装置。
【請求項５】
地図上の特定の地点を基準地点として登録する登録手段を更に備え、
前記行動期間判別手段は、前記移動履歴情報における一連の日時情報のうちで、規定時刻までに前記登録手段により登録された基準地点に戻っていない日を含む区間を前記行動期間と判別する、
ことを特徴とする請求項１乃至４いずれか１項に記載の画像分類装置。
【請求項６】
前記規定時刻は日付変更の直前の時刻であることを特徴とする請求項５記載の画像分類装置。
【請求項７】
前記移動履歴取得手段により取得された移動履歴情報における一連の位置情報に基づき、前記行動期間判別手段により判別された行動期間におけるユーザーの滞在期間が最長の場所の場所名を取得する場所名取得手段を更に備え、
前記画像分類手段は、前記複数の撮影画像のうちで撮影日時が前記行動期間に含まれる撮影画像を、前記場所名取得手段により取得された場所名を含む名称が付与された格納場所に格納する、
ことを特徴とする請求項１乃至６いずれか１項に記載の画像分類装置。
【請求項８】
現在位置を定期的に計測する測位手段と、
前記測位手段による一連の計測結果を日時情報とを対応付けて記憶する計測結果記憶手段と、
を更に備え、
前記移動履歴取得手段は、前記計測結果記憶手段に互い対応付けて記憶されている一連の日時情報及び位置情報を前記移動履歴情報として取得する、
ことを特徴とする請求項１乃至７のいずれか１項に記載の画像分類装置。
【請求項９】
前記移動履歴取得手段は、前記撮影画像の撮影タイミングとは非同期に取得した日時情報を含む移動履歴情報を取得することを特徴とする請求項２乃至８のいずれか１項に記載の画像分類装置。
【請求項１０】
使用者の撮影指示に応じて撮影した撮影画像に対して、撮影時に取得される位置情報を関連付けて記録する撮影記録手段を備え、
前記測位手段は、前記撮影記録手段により撮影時の位置情報が取得された場合には、この撮影に対応する所定期間において、現在位置の計測動作を停止することを特徴とする請求項８記載の画像分類装置。
【請求項１１】
前記撮影画像を取得する撮像手段と、
前記撮像手段により取得された撮影画像を記憶する画像記憶手段とを備え、
前記画像分類手段は、前記画像記憶手段に記憶されている複数の撮影画像を各々の撮影日時に基づき前記行動期間判別手段により判別された行動期間に応じて分類する、
ことを特徴とする請求項１乃至１０のいずれか１項に記載の画像分類装置。
【請求項１２】
前記画像分類手段は、前記画像記憶手段に前記場所名を含む名称を付与したフォルダを前記格納場所として生成し、そのフォルダに撮影日時が前記行動期間に含まれる複数の撮影画像を格納する、
ことを特徴とする請求項１１記載の画像分類装置。
【請求項１３】
前記撮像手段により取得された撮影画像の前記画像記憶手段への記憶に際し前記測位手段の計測結果を撮影日時と共に撮影画像に付加するか否かを使用者の要求に応じて設定する設定手段を備えたことを特徴とする請求項１１又は１２記載の画像分類装置。
【請求項１４】
前記設定手段によって前記測位手段の計測結果を撮影画像に付加することが設定されている間、撮影時から規定時間が経過するまで前記測位手段に定期的な計測動作を停止させ、前記規定時間の経過後に前記測位手段に定期的な計測動作を再開させる測位制御手段を更に備えたことを特徴とする請求項１３記載の画像分類装置。
【請求項１５】
前記測位手段における現在位置の計測間隔を、前記登録手段により登録された基準地点からの距離に比例し長くする測位間隔制御手段を更に備えたことを特徴とする請求項１１乃至１４のいずれか１項に記載の画像分類装置。
【請求項１６】
前記測位手段における現在位置の計測間隔を、前記測位手段の計測結果により示される地点から前記登録手段により登録された基準地点までの最短の所要時間を考慮して増減する測位間隔制御手段を更に備えたことを特徴とする請求項１１乃至１４のいずれか１項に記載の画像分類装置。
【請求項１７】
使用者によって撮影された複数の撮影画像を分類する画像分類方法であって、
前記使用者の移動履歴を示す一連の日時情報及び位置情報を含む移動履歴情報を取得する移動履歴取得処理と、
前記移動履歴取得処理により取得された移動履歴情報を解析することにより、前記使用者の過去の移動履歴において同一期間と分類すべき撮影画像に対応する行動期間を判別する行動期間判別処理と、
前記複数の撮影画像を各々の撮影日時に基づき前記行動期間判別処理により判別された行動期間に応じて分類する画像分類処理と、
を含むことを特徴とする画像分類方法。
【請求項１８】
使用者によって撮影された複数の撮影画像を分類する画像分類装置が有するコンピュータに、
前記使用者の移動履歴を示す一連の日時情報及び位置情報を含む移動履歴情報を取得する移動履歴取得機能と、
前記移動履歴取得機能により取得された移動履歴情報を解析することにより、前記使用者の過去の移動履歴において同一期間と分類すべき撮影画像に対応する行動期間を判別する行動期間判別機能と、
前記複数の撮影画像を各々の撮影日時に基づき前記行動期間判別機能により判別された行動期間に応じて分類する画像分類機能と、
を実現させることを特徴とするプログラム。